(57)【要約】  この発明に係るアキュームレータは、冷媒を溜める容器と、容器に取り付けられた取手部品とを備え、作業者がアキュームレータを持ちやすくし、運搬する際の作業性を向上させるものである。
2018134993.tif 000002
【特許請求の範囲】
【請求項１】
冷媒を溜める容器と、
該容器に取り付けられた取手部品と
を備えるアキュームレータ。
【請求項２】
前記取手部品は、円筒形状の前記容器の側面に取り付けられる請求項１に記載のアキュームレータ。
【請求項３】
前記取手部品は、前記容器が収容される室外機に前記容器をネジで固定するネジ穴を有する請求項１または請求項２に記載のアキュームレータ。
【請求項４】
円筒形状の前記容器の上面に、フックが掛けられる引っ掛け部品をさらに備える請求項１〜請求項３のいずれか一項に記載のアキュームレータ。
【請求項５】
冷媒を溜める容器と、
該容器に取り付けられ、フックが掛けられる引っ掛け部品と
を備えるアキュームレータ。
【請求項６】
前記引っ掛け部品は、前記容器が収容される室外機に前記容器をネジで固定するネジ穴を有する請求項４または請求項５に記載のアキュームレータ。
【請求項７】
請求項１〜請求項６のいずれか一項に記載のアキュームレータが収容された室外機。
【発明の詳細な説明】
【技術分野】
【０００１】
この発明は、たとえば、冷凍サイクル装置に用いられる室外機が有するアキュームレータおよび室外機に関するものである。特にアキュームレータの構造に関するものである。
【背景技術】
【０００２】
一般的な空気調和機の室外機、特に複数台の室内機の個別制御を可能としている場合、冷媒回路の蒸発器と圧縮機の冷媒吸入側との間に、運転時における余剰冷媒を貯留するアキュームレータのような圧力容器を搭載している（たとえば、特許文献１参照）。
【先行技術文献】
【特許文献】
【０００３】
【特許文献１】特開２０００−０８８２９２号公報
【発明の概要】
【発明が解決しようとする課題】
【０００４】
特許文献１に記載されたアキュームレータのように、従来技術におけるアキュームレータは円筒形状をしている。また、大型のアキュームレータは、およそ１０ｋｇの重量がある。ここで、空気調和機の室外機内にアキュームレータを設置する際、作業者が手作業でアキュームレータを運搬し、室外機内に固定して取り付けている。円筒径状のアキュームレータは、持ちにくい形状であり、重量物であるにも関わらず、運搬の作業性を向上させるための構造を有していなかった。【０００５】
この発明は、上記のような課題を解決するためになされたもので、運搬性を向上させたアキュームレータおよび空気調和機などに用いられる室外機を得ることを目的とするものである。
【課題を解決するための手段】
【０００６】
この発明に係るアキュームレータは、冷媒を溜める容器と、容器に取り付けられた取手部品とを備えるものである。
【発明の効果】
【０００７】
この発明によれば、アキュームレータにおいて、容器に取手部品を有することで、作業者がアキュームレータを持ちやすくすることができる。このため、アキュームレータを運搬する際の作業性を向上させることができる。
【図面の簡単な説明】
【０００８】
【図１】この発明の実施の形態１に係る空気調和機の室外機１を示す斜視図である。
【図２】この発明の実施の形態１に係る空気調和機の室外機１から外郭部品３ａを外した状態を示す斜視図である。
【図３】この発明の実施の形態１に係るアキュームレータ４を示す図である。
【図４】この発明の実施の形態１に係る取手部品５の構造を示す図である。
【図５】この発明の実施の形態１に係る引っ掛け部品６の構造を示す図である。
【図６】この発明の実施の形態１に係るアキュームレータ４が室外機１に固定された状態を示す図である。
【発明を実施するための形態】
【０００９】
以下、発明の実施の形態に係るアキュームレータ、室外機などについて、図面などを参照しながら説明する。以下の図面において、同一の符号を付したものは、同一またはこれに相当するものであり、以下に記載する実施の形態の全文において共通することとする。また、図面では各構成部材の大きさの関係が実際のものとは異なる場合がある。そして、明細書全文に表わされている構成要素の形態は、あくまでも例示であって、明細書に記載された形態に限定するものではない。明細書に記載された機器がすべて含まれていなくてもよい場合がある。特に構成要素の組み合わせは、各実施の形態における組み合わせのみに限定するものではなく、他の実施の形態に記載した構成要素を別の実施の形態に適用することができる。ここで、添字で区別などしている複数の同種の機器などについて、特に区別したり、特定したりする必要がない場合には、符号、添字などを省略して記載する場合がある。
【００１０】
実施の形態１．
図１は、この発明の実施の形態１に係る空気調和機の室外機１を示す斜視図である。また、図２は、この発明の実施の形態１に係る空気調和機の室外機１から外郭部品３ａを外した状態を示す斜視図である。
【００１１】
空気調和機における室外機１の内部は、たとえば、仕切板（図示せず）によって、送風室１０と機械室２０とに分離されている。送風室１０は、送風機１１の回転駆動により空気が通過する空間となる。送風室１０には、送風機１１、熱交換器１２などが収容されている。送風機１１は、回転駆動して、開口部１３から室外機１の外部の空気を送風室１０内に流入させ、吹出し口１４から流出させる。熱交換器１２は、圧縮機２１などと配管接続されて冷媒回路を構成する。熱交換器１２は、送風機１１が回転駆動して流入する空気と冷媒との熱交換を行う。
【００１２】
機械室２０は、室外機１の筐体の一部となる外郭部品３ａおよび外郭部品３ｂにより覆われた空間である。冷媒回路を構成する圧縮機２１、アキュームレータ４などを有している。また、室外機１内の機器を動作させる電機部品（図示せず）などを有している。圧縮機２１は、冷媒回路の冷媒を圧縮して、吐出する。
【００１３】
図３は、この発明の実施の形態１に係るアキュームレータ４を示す図である。アキュームレータは、冷凍サイクル装置における蒸発器と圧縮機２１の冷媒吸入側との間に設置され、冷媒回路内の余剰冷媒を溜める。アキュームレータ４は、上側蓋部品４ａ、筒部品４ｂ、下側蓋部品４ｃ、固定部品４ｄおよび内部冷媒配管４ｅを有している。アキュームレータ４において、上側蓋部品４ａ、筒部品４ｂおよび下側蓋部品４ｃを組み合わせて、たとえば、液状の冷媒が溜まる容器となる。ここで、容器の形状は円筒形状であるものとして説明する。固定部品４ｄは、下側蓋部品４ｃに取り付けられる。固定部品４ｄは、後述する図６において示すように、室外機１の底部における外郭部品３ｃにアキュームレータ４を固定する部品である。また、内部冷媒配管４ｅは、上側蓋部品４ａ側から容器内部に挿入された配管である。内部冷媒配管４ｅは、アキュームレータ４の外部の冷媒配管と接続される。
【００１４】
また、実施の形態１のアキュームレータ４は、さらに、取手部品５および引っ掛け部品６を有している。取手部品５は、たとえば、室外機１にアキュームレータ４を設置する作業者が、アキュームレータ４を運搬しやすいように取り付けられている。図３では、取手部品５は、アキュームレータ４の筒部品４ｂに取り付けられている。ここで、実施の形態１の取手部品５は、容器の側面にあたる筒部品４ｂに、溶接により取り付けられているものとする。アキュームレータ４は、気相の冷媒を通過させるため、容器の上面側に内部冷媒配管４ｅが取り付けられる。このため、取手部品５は、側面にあたる筒部品４ｂに取り付ける方がよい。ただし、取り付け方法などについては特に限定するものではない。また、取手部品５が取り付けられる上下方向の位置についても、特に限定するものではない。たとえば、アキュームレータ４の高さに応じて取り付ける位置を設定すればよい。また、空気調和機の室外機１にアキュームレータ４が設置されたときに、冷媒配管などの周囲部品と干渉しないような位置に取り付けられるように設定すればよい。そして、図３では、アキュームレータ４に取手部品５が１つ取り付けられているが、たとえばアキュームレータ４が２つの取手部品５を有するようにしてもよい。アキュームレータ４に２つの取手部品５があることで、両手で取手部品５を掴むことができる。
【００１５】
図４は、この発明の実施の形態１に係る取手部品５の構造を示す図である。取手部品５は、保持部５ａと支持部品固定部５ｂとを有している。保持部５ａは、アキュームレータ４を運搬する際に作業者が手を掛けて把持する部分である。このため、保持部５ａにおいては、取手部品の材料となる板金の端面が、いわゆる密着曲げ加工されており、作業者の手が直接、板金の端面に触れないような構造になっている。また、支持部品固定部５ｂには、後述する図６に示す下側支持部品８をネジで締結するためのネジ穴が設けられている。
【００１６】
引っ掛け部品６は、実施の形態１においては、アキュームレータ４の上側蓋部品４ａに取り付けられている。したがって、容器の上面に取り付けられることになる。実施の形態１の引っ掛け部品６は、溶接により上側蓋部品４ａに取り付けられているものとするが、これに限定するものではない。
【００１７】
図５は、この発明の実施の形態１に係る引っ掛け部品６の構造を示す図である。引っ掛け部品６は、引っ掛け部６ａおよび支持部品固定部６ｂを有している。引っ掛け部６ａは、アキュームレータ４をクレーンなどで持ち上げる際に、クレーンフックが引っ掛けられるところとなる。引っ掛け部品６は、アキュームレータ４の上側蓋部品４ａに取り付けられると、引っ掛け部６ａとアキュームレータ４の上側蓋部品４ａとの間に円弧上の空間が形成されるような形状になっている。また、支持部品固定部６ｂには、上側支持部品７をネジで締結するためのネジ穴が設けられている。
【００１８】
図６は、この発明の実施の形態１に係るアキュームレータ４が室外機１に固定された状態を示す図である。実施の形態１のアキュームレータ４においては、前述したように、取手部品５が支持部品固定部５ｂを有している。このため、支持部品固定部５ｂと下側支持部品８とをネジで締結し、さらに、下側支持部品８と室外機１の外郭部品３ｂとをネジで締結することで、アキュームレータ４と外郭部品３ｂとの位置を固定することができる。
【００１９】
また、実施の形態１のアキュームレータ４においては、引っ掛け部品６が、支持部品固定部６ｂを有している。このため、支持部品固定部６ｂと上側支持部品７とをネジで締結し、さらに、上側支持部品７と室外機１の外郭部品３ｂとをネジで締結することで、アキュームレータ４の上部において、アキュームレータ４と外郭部品３ｂとの位置を固定することができる。
【００２０】
アキュームレータ４は、固定部品４ｄを介して、室外機１における底面の外郭部品３ｃとの位置が固定されている。支持部品固定部５ｂおよび支持部品固定部６ｂにより、一を固定することができる箇所がさらに増えるので、たとえば、室外機１を輸送しているときなどに生じるアキュームレータ４の振動を抑えることができる。
【００２１】
以上のように、実施の形態１においては、アキュームレータ４が取手部品５を有しているので、作業者が持ちやすく、安全に運搬することができ、運搬作業を効率的に行うことができる。また、アキュームレータ４が引っ掛け部品６を有しているので、引っ掛け部品６にクレーンフックを引っ掛けて、クレーンでアキュームレータ４を吊り下げて運搬することができ、運搬作業を効率的に行うことができる。
【００２２】
さらに、取手部品５および引っ掛け部品６に、それぞれ支持部品固定部５ｂおよび支持部品固定部６ｂを有することで、アキュームレータ４と外郭部品３ｂなどとの位置を固定する箇所を増やすことができるので、アキュームレータ４の振動を抑えることができる。このため、室外機１における配管の保護、騒音発生の抑制などをはかることができる。
【００２３】
実施の形態２．
上述した実施の形態１においては、取手部品５および引っ掛け部品６の両方を有するアキュームレータ４について説明した。これに限定するものではなく、取手部品５および引っ掛け部品６のいずれか一方を有するアキュームレータ４であってもよい。
【００２４】
また、上述した実施の形態１において、室外機１は、空気調和機の室外機であるものとして説明したが、たとえば、負荷への加熱および冷却を切り替えて行うことができる、他の冷凍サイクル装置に用いられる室外機であってもよい。
【符号の説明】
【００２５】
１  室外機、３ａ、３ｂ、３ｃ  外郭部品、４  アキュームレータ、４ａ  上側蓋部品、４ｂ  筒部品、４ｃ  下側蓋部品、４ｄ  固定部品、４ｅ  内部冷媒配管、５  取手部品、５ａ  保持部、５ｂ  支持部品固定部、６  引っ掛け部品、６ａ  引っ掛け部、６ｂ  支持部品固定部、７  上側支持部品、８  下側支持部品、１０  送風室、１１  送風機、１２  熱交換器、１３  開口部、１４  吹出し口、２０  機械室、２１  圧縮機。
【図１】
2018134993.tif 000003
【図２】
2018134993.tif 000004
【図３】
2018134993.tif 000005
【図４】
2018134993.tif 000006
【図５】
2018134993.tif 000007
【図６】
2018134993.tif 000008
【国際調査報告】
2018134993.tif 000009
2018134993.tif 000010
2018134993.tif 000011
2018134993.tif 000012